(57)【要約】【課題】発電効率を向上させる。【解決手段】凝縮システム２００は、タービン発電機１４０から排気された作動媒体と、第１の冷水とを熱交換させて、作動媒体を冷却する第１の凝縮器２１０と、第１の凝縮器２１０から排出された作動媒体と、温度または供給流量が第１の冷水と異なる第２の冷水とを熱交換させて、作動媒体を冷却する第２の凝縮器２２０と、を備える。これにより、凝縮システム２００は、タービン発電機１４０の出口圧力を低くすることができ、発電効率を向上させることが可能となる。【選択図】図１
2020128701.tif 000002
【特許請求の範囲】
【請求項１】
タービン発電機から排気された作動媒体と、第１の冷水とを熱交換させて、前記作動媒体を冷却する第１の凝縮器と、
前記第１の凝縮器から排出された前記作動媒体と、温度または供給流量が前記第１の冷水と異なる第２の冷水とを熱交換させて、前記作動媒体を冷却する第２の凝縮器と、
を備える凝縮システム。
【請求項２】
前記タービン発電機における前記作動媒体の出口と、前記第１の凝縮器における前記作動媒体の入口とを接続する第１の配管と、
前記第１の凝縮器における前記作動媒体の出口と、前記第２の凝縮器における前記作動媒体の入口とを接続する第２の配管と、
前記タービン発電機における前記作動媒体の出口と、前記第２の凝縮器における前記作動媒体の入口とを接続するバイパス管と、
を備える請求項１に記載の凝縮システム。
【請求項３】
前記バイパス管に設けられた流量調整弁と、
前記第２の配管を通過する前記作動媒体の圧力および温度を測定する状態測定部と、
前記状態測定部による測定結果に基づいて、前記流量調整弁の開度を制御するバイパス制御部と、
を備える請求項２に記載の凝縮システム。
【請求項４】
前記第２の凝縮器は、前記作動媒体の入口が少なくとも２つ設けられており、
前記第２の配管は、前記第２の凝縮器における一方の前記入口に接続され、
前記バイパス管は、前記第２の凝縮器における他方の前記入口に接続される請求項２または３に記載の凝縮システム。
【発明の詳細な説明】
【技術分野】
【０００１】
本開示は、凝縮システムに関する。
【背景技術】
【０００２】
熱源で作動媒体を加熱して気化させ、気化した作動媒体で発電を行うバイナリ発電装置が開発されている（例えば、特許文献１）。バイナリ発電装置は、蒸発器、タービン発電機、凝縮器を備える。
【０００３】
蒸発器は、温泉水等の温水（熱源）によって作動媒体を加熱して気化させる。蒸発器によって気化された作動媒体は、タービン発電機のタービンを回転させて発電させる。凝縮器は、例えば、冷却塔によって冷却された冷水で、タービン発電機から排気された作動媒体を冷却して凝縮させる。こうして凝縮された作動媒体は、ポンプで昇圧されて蒸発器に返送される。
【先行技術文献】
【特許文献】
【０００４】
【特許文献１】特開２０１４−１９０２８５号公報
【発明の概要】
【発明が解決しようとする課題】
【０００５】
上記バイナリ発電装置において、発電効率を向上させる技術の開発が希求されている。
【０００６】
本開示は、このような課題に鑑み、発電効率を向上させることが可能な凝縮システムを提供することを目的としている。
【課題を解決するための手段】
【０００７】
上記課題を解決するために、本開示の一態様にかかる凝縮システムは、タービン発電機から排気された作動媒体と、第１の冷水とを熱交換させて、作動媒体を冷却する第１の凝縮器と、第１の凝縮器から排出された作動媒体と、温度または供給流量が第１の冷水と異なる第２の冷水とを熱交換させて、作動媒体を冷却する第２の凝縮器と、を備える。
【０００８】
また、タービン発電機における作動媒体の出口と、第１の凝縮器における作動媒体の入口とを接続する第１の配管と、第１の凝縮器における作動媒体の出口と、第２の凝縮器における作動媒体の入口とを接続する第２の配管と、タービン発電機における作動媒体の出口と、第２の凝縮器における作動媒体の入口とを接続するバイパス管と、を備えてもよい。
【０００９】
また、バイパス管に設けられた流量調整弁と、第２の配管を通過する作動媒体の圧力および温度を測定する状態測定部と、状態測定部による測定結果に基づいて、流量調整弁の開度を制御するバイパス制御部と、を備えてもよい。
【００１０】
また、第２の凝縮器は、作動媒体の入口が少なくとも２つ設けられており、第２の配管は、第２の凝縮器における一方の入口に接続され、バイパス管は、第２の凝縮器における他方の入口に接続されてもよい。
【発明の効果】
【００１１】
本開示によれば、発電効率を向上させることが可能となる。
【図面の簡単な説明】
【００１２】
【図１】バイナリ発電装置の概略的な構成を説明する図である。
【図２】第１の変形例の凝縮システムを説明する図である。
【図３】第２の変形例の凝縮システムを説明する図である。
【発明を実施するための形態】
【００１３】
以下に添付図面を参照しながら、本開示の実施形態について詳細に説明する。実施形態に示す寸法、材料、その他具体的な数値等は、理解を容易とするための例示にすぎず、特に断る場合を除き、本開示を限定するものではない。なお、本明細書および図面において、実質的に同一の機能、構成を有する要素については、同一の符号を付することにより重複説明を省略する。また本開示に直接関係のない要素は図示を省略する。
【００１４】
［バイナリ発電装置１００］
図１は、バイナリ発電装置１００の概略的な構成を説明する図である。図１中、作動媒体の流れを実線の矢印で示し、温水および冷水の流れを破線の矢印で示し、信号の流れを一点鎖線の矢印で示す。
【００１５】
図１に示すように、バイナリ発電装置１００は、ポンプ１１０と、加温器１２０と、蒸発器１３０と、タービン発電機１４０と、中央制御部１５０と、凝縮システム２００とを含む。
【００１６】
ポンプ１１０は、後述する凝縮システム２００（第１の凝縮器２１０および第２の凝縮器２２０）によって冷却された作動媒体（冷媒）を昇圧して加温器１２０に送出する。配管１１２は、ポンプ１１０の吸入側と、第２の凝縮器２２０の媒体出口２２２ｃとを接続する。配管１１４は、ポンプ１１０の吐出側と、加温器１２０の媒体入口１２２ａとを接続する。ポンプ１１０は、加温器１２０、蒸発器１３０、タービン発電機１４０、凝縮システム２００（第１の凝縮器２１０、第２の凝縮器２２０）に作動媒体を循環させる。
【００１７】
加温器１２０は、例えば、プレートタイプの熱交換器や、シェルアンドチューブタイプの熱交換器で構成される。加温器１２０は、第１温度の温水（熱源）と作動媒体とを熱交換させて、作動媒体を加熱する。温水は、例えば、ボイラ排水、ボイラ排ガス、温泉水、温泉ガス、エンジン冷却排水、エンジン冷却排ガス、工業排水、および、工業排ガスのうち、いずれか１または複数である。第１温度は、例えば、８０℃以上１４５℃未満である。加温器１２０には、例えば、１５ｔ（トン）／ｈ（時間）以上１００ｔ／ｈ以下の流量で第１温度の温水が供給される。
【００１８】
加温器１２０には、媒体流路１２２、および、温水流路１２４が形成される。加温器１２０において、媒体流路１２２と温水流路１２４とは熱伝達可能に面接触している。また、加温器１２０において、作動媒体の流れと温水の流れとが対向流となるように、媒体流路１２２に媒体入口１２２ａおよび媒体出口１２２ｂが形成され、温水流路１２４に温水入口１２４ａおよび温水出口１２４ｂが形成される。配管１２６は、媒体出口１２２ｂと、蒸発器１３０の媒体入口１３２ａとを接続する。
【００１９】
媒体流路１２２には、配管１１４および媒体入口１２２ａを通じて、ポンプ１１０から作動媒体（液体）が導入される。媒体流路１２２の通過過程において、温水によって加熱された作動媒体は、媒体出口１２２ｂおよび配管１２６を通じて、蒸発器１３０に導入される。
【００２０】
一方、温水流路１２４には、温水入口１２４ａを通じて、温水源（例えば、源泉）から温水が導入される。温水流路１２４の通過過程において、作動媒体に熱を伝達することで冷却された温水は、温水出口１２４ｂを通じて外部に排出される。
【００２１】
蒸発器１３０は、例えば、プレートタイプの熱交換器や、シェルアンドチューブタイプの熱交換器で構成される。蒸発器１３０は、第２温度の温水（熱源）と作動媒体とを熱交換させて、作動媒体を加熱する。温水は、例えば、ボイラ排水、ボイラ排ガス、温泉水、温泉ガス、エンジン冷却排水、エンジン冷却排ガス、工業排水、および、工業排ガスのうち、いずれか１または複数である。第２温度は、第１温度より高温であり、例えば、８０℃を上回り１４５℃以下である。蒸発器１３０には、例えば、１５ｔ（トン）／ｈ（時間）以上１００ｔ／ｈ以下の流量で第２温度の温水が供給される。
【００２２】
蒸発器１３０には、媒体流路１３２、および、温水流路１３４が形成される。蒸発器１３０において、媒体流路１３２と温水流路１３４とは熱伝達可能に面接触している。また、蒸発器１３０において、作動媒体の流れと温水の流れとが対向流となるように、媒体流路１３２に媒体入口１３２ａおよび媒体出口１３２ｂが形成され、温水流路１３４に温水入口１３４ａおよび温水出口１３４ｂが形成される。配管１３６は、媒体出口１３２ｂと、タービン発電機１４０における作動媒体の入口１４０ａとを接続する。
【００２３】
媒体流路１３２には、配管１２６および媒体入口１３２ａを通じて、加温器１２０から作動媒体が導入される。媒体流路１３２の通過過程において、温水によって加熱されることで気化した作動媒体は、媒体出口１３２ｂおよび配管１３６を通じて、タービン発電機１４０に導入される。
【００２４】
一方、温水流路１３４には、温水入口１３４ａを通じて、温水源（例えば、源泉）から温水が導入される。温水流路１３４の通過過程において、作動媒体に熱を伝達することで冷却された温水は、温水出口１３４ｂを通じて外部に排出される。
【００２５】
タービン発電機１４０は、蒸発器１３０から導入された作動媒体（気体）によって発電する。具体的に説明すると、タービン発電機１４０は、作動媒体によって回転されるタービンと、タービンの回転によって発電する発電機とを含む。タービン発電機１４０のタービンを通過した作動媒体（気体）は、凝縮システム２００の第１の凝縮器２１０に導入される。
【００２６】
中央制御部１５０は、ＣＰＵ（中央処理装置）を含む半導体集積回路で構成される。中央制御部１５０は、ＲＯＭからＣＰＵ自体を動作させるためのプログラムやパラメータ等を読み出す。中央制御部１５０は、ワークエリアとしてのＲＡＭや他の電子回路と協働してバイナリ発電装置１００全体を管理および制御する。
【００２７】
本実施形態において、中央制御部１５０は、タービン発電機１４０の発電出力の実測値が、発電出力の目標値となるようにポンプ１１０の回転数を制御する。
【００２８】
［凝縮システム２００］
凝縮システム２００は、第１の凝縮器２１０と、第２の凝縮器２２０と、配管２３０（第１の配管）と、配管２４０（第２の配管）と、バイパス管２５０と、流量調整弁２６０と、状態測定部２７０と、バイパス制御部２８０とを含む。
【００２９】
第１の凝縮器２１０は、例えば、プレートタイプの熱交換器や、シェルアンドチューブタイプの熱交換器で構成される。第１の凝縮器２１０は、タービン発電機１４０から排気された作動媒体と、第３温度の第１の冷水（冷熱源）とを熱交換させて、作動媒体を冷却する。第１の冷水は、温度の変動が相対的に小さく、供給流量の変動が相対的に大きい冷水である。第１の冷水は、例えば、工業用水、井戸水、河川水、湧き水、および、地下水のうち、いずれか１または複数である。第３温度は、例えば、２０℃以上３５℃以下である。
【００３０】
第１の凝縮器２１０には、媒体流路２１２、および、冷水流路２１４が形成される。第１の凝縮器２１０において、媒体流路２１２と冷水流路２１４とは熱伝達可能に面接触している。また、第１の凝縮器２１０において、作動媒体の流れと第１の冷水の流れとが対向流となるように、媒体流路２１２に媒体入口２１２ａ（作動媒体の入口）および媒体出口２１２ｂ（作動媒体の出口）が形成され、冷水流路２１４に冷水入口２１４ａおよび冷水出口２１４ｂが形成される。
【００３１】
媒体流路２１２には、配管２３０および媒体入口２１２ａを通じて、タービン発電機１４０から作動媒体（気体）が導入される。配管２３０は、タービン発電機１４０における作動媒体の出口１４０ｂと媒体入口２１２ａとを接続する。媒体流路２１２の通過過程において、第１の冷水によって冷却されることで凝縮した作動媒体（気液混合物）は、媒体出口２１２ｂおよび配管２４０を通じて、第２の凝縮器２２０に導入される。配管２４０は、媒体出口２１２ｂと、第２の凝縮器２２０の一方の媒体入口２２２ａとを接続する。
【００３２】
一方、冷水流路２１４には、冷水入口２１４ａを通じて、第１の冷水源（例えば、井戸）から第１の冷水が導入される。冷水流路２１４の通過過程において、作動媒体から熱が伝達されて加熱された第１の冷水は、冷水出口２１４ｂを通じて外部（例えば、井戸水タンク）に排出される。
【００３３】
第２の凝縮器２２０は、例えば、プレートタイプの熱交換器や、シェルアンドチューブタイプの熱交換器で構成される。第２の凝縮器２２０は、第３温度の第２の冷水（冷熱源）と作動媒体とを熱交換させて、作動媒体を冷却する（凝縮させる）。第２の冷水は、温度または供給流量（第２の凝縮器２２０へ供給される流量）が、第１の冷水と異なる。第２の冷水は、温度の変動が相対的に大きく、供給流量の変動が相対的に小さい冷水である。第２の冷水は、例えば、冷却塔によって冷却された冷水（循環冷却水）である。第２の凝縮器２２０には、例えば、８０ｔ／ｈ以上１２０ｔ／ｈ以下の流量で第３温度の冷水が供給される。
【００３４】
第２の凝縮器２２０には、媒体流路２２２、および、冷水流路２２４が形成される。第２の凝縮器２２０において、媒体流路２２２と冷水流路２２４とは熱伝達可能に面接触している。また、第２の凝縮器２２０において、作動媒体の流れと第２の冷水の流れとが対向流となるように、媒体流路２２２に媒体入口２２２ａ、２２２ｂ（作動媒体の入口）および媒体出口２２２ｃ（作動媒体の出口）が形成され、冷水流路２２４に冷水入口２２４ａおよび冷水出口２２４ｂが形成される。
【００３５】
媒体流路２２２には、配管２４０および媒体入口２２２ａを通じて、第１の凝縮器２１０から作動媒体（気液混合物）が導入される。また、詳しくは後述するが、媒体流路２２２には、バイパス管２５０および他方の媒体入口２２２ｂを通じて、タービン発電機１４０（配管２３０）から作動媒体（気体）が導入される。媒体流路２２２の通過過程において、第２の冷水によって冷却されることで凝縮した作動媒体（液体）は、媒体出口２２２ｃおよび配管１１２を通じて、ポンプ１１０に吸引される。
【００３６】
一方、冷水流路２２４には、冷水入口２２４ａを通じて、第２の冷水源（例えば、冷却塔）から第２の冷水が導入される。冷水流路２２４の通過過程において、作動媒体から熱が伝達されて加熱された第２の冷水は、冷水出口２２４ｂを通じて外部（例えば、冷却塔）に返送される。
【００３７】
このように、凝縮システム２００は、第１の凝縮器２１０および第２の凝縮器２２０といったように冷却能力の異なる凝縮器を２台備える構成により、凝縮器を１台しか備えない従来技術と比較して、作動媒体を効率よく凝縮させる（冷却する）ことができる。したがって、凝縮システム２００は、タービン発電機１４０の出口圧力を従来技術より低くすることができ、発電効率を向上させることが可能となる。
【００３８】
ところで、第１の凝縮器２１０による作動媒体の冷却能力が不十分である場合、タービン発電機１４０の出口圧力が上昇するおそれがある。具体的に説明すると、第１の凝縮器２１０に供給される第１の冷水の流量が小さかったり、第１の冷水の温度が高かったりする場合、第１の凝縮器２１０の媒体流路２１２および配管２４０を通過する作動媒体のクオリティ（液体中に含まれる気体の質量割合）が増大してしまう。そうすると、第１の凝縮器２１０の媒体流路２１２および配管２４０を通過する作動媒体が二相流となり、第１の凝縮器２１０（媒体流路２１２）の圧力損失が上昇する。そうすると、タービン発電機１４０の出口圧力が高くなり、タービン発電機１４０の発電効率が低下してしまう。
【００３９】
そこで、本実施形態の凝縮システム２００は、バイパス管２５０を備える。バイパス管２５０は、配管２３０と、第２の凝縮器２２０の媒体入口２２２ｂとを接続する。バイパス管２５０の管径は、タービン発電機１４０から第１の凝縮器２１０に流れる作動媒体と、タービン発電機１４０から第２の凝縮器２２０に直接流れる作動媒体の流量比に基づいて設計される。上記流量比は、第１の凝縮器２１０の冷却能力の想定値、および、第２の凝縮器２２０の冷却能力の想定値に基づいて、発電効率が最も高くなるように決定される。冷却能力は、第１の凝縮器２１０および第２の凝縮器２２０に供給される冷水の流量および冷水の温度によって決定される。
【００４０】
このようなバイパス管２５０を備える構成により、タービン発電機１４０から第１の凝縮器２１０に導入される作動媒体の量を低減することができる。これにより、第１の凝縮器２１０は、作動媒体を充分に冷却することが可能となる。そうすると、第１の凝縮器２１０の媒体流路２１２および配管２４０を通過する作動媒体のクオリティおよびボイド率（液体中に含まれる気体の体積割合）が低減する。これにより、第１の凝縮器２１０（媒体流路２１２）内および配管２４０の圧力損失を低下させることが可能となる。したがって、タービン発電機１４０の出口圧力を低くすることができ、タービン発電機１４０の発電効率の低下を抑制することが可能となる。また、第１の凝縮器２１０の小型化を図ることができる。
【００４１】
また、上記したように、本実施形態の第２の凝縮器２２０には、作動媒体の媒体入口２２２ａ、２２２ｂが２つ設けられており、配管２４０は、第２の凝縮器２２０における一方の媒体入口２２２ａに接続され、バイパス管２５０は、第２の凝縮器２２０における他方の媒体入口２２２ｂに接続される。
【００４２】
配管２４０には、気液混合状態の作動媒体が通過し、バイパス管２５０には、気体状態の作動媒体が通過する。したがって、第２の凝縮器２２０の作動媒体の１つの媒体入口（例えば、媒体入口２２２ａ）に配管２４０およびバイパス管２５０を接続した場合、気液混合状態の作動媒体と気体状態の作動媒体とが媒体入口で合流されることになり、媒体入口の圧力損失が増加する。そうすると、第２の凝縮器２２０の媒体流路２２２内に作動媒体を均一に分散させることができず、作動媒体が媒体流路２２２を偏って流れてしまう。
【００４３】
本実施形態の凝縮システム２００は、第２の凝縮器２２０における一方の媒体入口２２２ａに配管２４０が接続され、他方の媒体入口２２２ｂにバイパス管２５０が接続される構成により、第２の凝縮器２２０の媒体入口における圧力損失の増加を抑制することができる。これにより、第２の凝縮器２２０の媒体流路２２２内に作動媒体を均一に分散させることができ、第２の凝縮器２２０において作動媒体を効率よく冷却させることが可能となる。
【００４４】
流量調整弁２６０は、バイパス管２５０に設けられる。状態測定部２７０は、配管２４０を通過する作動媒体の圧力および温度を測定する。
【００４５】
バイパス制御部２８０は、ＣＰＵ（中央処理装置）を含む半導体集積回路で構成される。バイパス制御部２８０は、ＲＯＭからＣＰＵ自体を動作させるためのプログラムやパラメータ等を読み出す。バイパス制御部２８０は、ワークエリアとしてのＲＡＭや他の電子回路と協働し、状態測定部２７０の測定結果に基づいて流量調整弁２６０の開度を調整する。
【００４６】
具体的に説明すると、バイパス制御部２８０は、状態測定部２７０によって測定された配管２４０内の圧力が所定の設計圧力より大きい場合、流量調整弁２６０の開度を大きくする。また、バイパス制御部２８０は、状態測定部２７０によって測定された配管２４０内の温度が所定の設計温度より高い場合、流量調整弁２６０の開度を大きくする。一方、バイパス制御部２８０は、状態測定部２７０によって測定された配管２４０内の圧力が所定の設計圧力より小さい場合、流量調整弁２６０の開度を小さくする。また、バイパス制御部２８０は、状態測定部２７０によって測定された配管２４０内の温度が所定の設計温度より低い場合、流量調整弁２６０の開度を小さくする。ここで、設計圧力および設計温度は、上記第１の凝縮器２１０の冷却能力の想定値および第２の凝縮器２２０の冷却能力の想定値に基づいて設計された値である。
【００４７】
流量調整弁２６０、状態測定部２７０、および、バイパス制御部２８０を備える構成により、第１の凝縮器２１０の冷却能力および第２の凝縮器２２０の冷却能力のうち、いずれか一方または両方が変動した場合であっても、発電効率の低下を抑制することが可能となる。
【００４８】
以上説明したように、本実施形態の凝縮システム２００は、冷却能力の異なる第１の凝縮器２１０および第２の凝縮器２２０を備える構成により、タービン発電機１４０の出口圧力を従来技術より低くすることができ、発電効率を向上させることが可能となる。
【００４９】
以上、添付図面を参照しながら実施形態について説明したが、本開示は上記実施形態に限定されないことは言うまでもない。当業者であれば、特許請求の範囲に記載された範疇において、各種の変更例または修正例に想到し得ることは明らかであり、それらについても当然に本開示の技術的範囲に属するものと了解される。
【００５０】
例えば、上記実施形態において、凝縮システム２００が、バイパス管２５０を備える構成を例に挙げて説明した。しかし、バイパス管２５０は、必須の構成ではない。図２は、第１の変形例の凝縮システム３００を説明する図である。図２に示すように、凝縮システム３００は、バイパス管２５０を備えずとも、第１の凝縮器２１０および第２の凝縮器２２０を備える構成により、凝縮器を１台しか備えない従来技術と比較して、作動媒体を効率よく凝縮させることができる。
【００５１】
また、上記実施形態において、凝縮システム２００が、流量調整弁２６０、状態測定部２７０、および、バイパス制御部２８０を備える構成を例に挙げて説明した。しかし、流量調整弁２６０、状態測定部２７０、および、バイパス制御部２８０は必須の構成ではない。図３は、第２の変形例の凝縮システム４００を説明する図である。図３に示すように、凝縮システム４００は、流量調整弁２６０、状態測定部２７０、および、バイパス制御部２８０を備えずとも、バイパス管２５０を備える構成により、タービン発電機１４０の発電効率の低下を抑制することが可能となる。
【００５２】
また、上記実施形態において、第２の凝縮器２２０に、作動媒体の媒体入口２２２ａ、２２２ｂが２つ設けられている構成を例に挙げて説明した。第２の凝縮器２２０の作動媒体の入口は、１つであってもよいし、３つ以上であってもよい。
【００５３】
また、上記実施形態において、バイパス管２５０が、配管２３０を介して、タービン発電機１４０の出口１４０ｂに接続される構成を例に挙げて説明した。しかし、バイパス管２５０は、タービン発電機１４０の出口１４０ｂと、第２の凝縮器２２０の媒体入口２２２ｂとを直接接続してもよい。
【００５４】
また、上記実施形態において、第１の冷水として、温度の変動が相対的に小さく、供給流量の変動が相対的に大きい冷水を例に挙げ、第２の冷水として、温度の変動が相対的に大きく、供給流量の変動が相対的に小さい冷水を例に挙げて説明した。しかし、第１の冷水が、温度の変動が相対的に大きく、供給流量の変動が相対的に小さい冷水であってもよいし、第２の冷水が、温度の変動が相対的に小さく、供給流量の変動が相対的に大きい冷水であってもよい。
【産業上の利用可能性】
【００５５】
本開示は、凝縮システムに利用することができる。
【符号の説明】
【００５６】
１４０  タービン発電機
１４０ｂ  出口
２００  凝縮システム
２１０  第１の凝縮器
２１２ａ  媒体入口（作動媒体の入口）
２１２ｂ  媒体出口（作動媒体の出口）
２２０  第２の凝縮器
２２２ａ  媒体入口（作動媒体の入口）
２２２ｂ  媒体入口（作動媒体の入口）
２３０  配管（第１の配管）
２４０  配管（第２の配管）
２５０  バイパス管
２６０  流量調整弁
２７０  状態測定部
２８０  バイパス制御部
【図１】
2020128701.tif 000003
【図２】
2020128701.tif 000004
【図３】
2020128701.tif 000005